(57)【要約】  【課題】  既存の金属板葺きの屋根に簡便且つ迅速に装着することができ、設置段階に葺き板や屋根面に殆ど損傷を与えることのないものとなって、設置後において自由に位置を移動させたり、撤去することができる融雪具を提供する。  【解決手段】  底面２１の上端縁に雪止め面２３を、下端縁に支え面２２を一体化した三角筒体２の二本を平行配置した上、据付け板４，４を一体化して融雪本体１１を形成する一方、各雪止め面２３内面に発熱体３が添設されると共に、双方の据付け板４，４の各端部に、設置対象金属板葺き屋根面７への取着金具部５，５，……を形成してなる屋根積雪融雪具１である。【選択図】    図１
2005179926.tif 000002
【特許請求の範囲】
【請求項１】
屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面への取着金具部を形成してなるものとしたことを特徴とする屋根積雪融雪具。
【請求項２】
屋根対向面を底面とし、その上端縁に一体化され、屋根面に設置されたときに水平状または屋根面からやや離れる方向に傾斜加減の略水平状となる所定角度に形成された雪止め面、および同下端縁に一体化され、前記雪止め面を所定角度に支持する支え面からなる所定長さの三角筒体であって、それら二本を適宜間隔を置いて平行配置した上、夫々の長さ方向で少なくとも両端近傍の屋根対向面同一箇所二箇所間に添わせて据付け板を一体化して二連の三角筒体からなる融雪本体を形成する一方、各三角筒体の雪止め面の内面には、該雪止め面外面に伝熱可能とするよう発熱体が添設、一体化されると共に、各据付け板の上下各端部に、設置対象金属板葺き屋根面の構造に応じて後付け可能となるようにした取着金具部を形成してなるものとしたことを特徴とする屋根積雪融雪具。
【請求項３】
屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面の棟方向（横方向）、もしくは棟方向に略直交する（棟から軒に向かう）方向（縦方向）に沿う突条に形成された葺き板の折曲げ耳部に挾着状に固定可能とする取着金具部を形成してなるものとしたことを特徴とする屋根積雪融雪具。
【請求項４】
屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面の棟方向（横方向）に沿って軒方向に突条となる葺き板の折曲げ耳部に上下方向から挾着状となって固定可能とする取着金具部を形成したことにより、金属板による一文字葺き屋根面の適宜選択した適所に自在に装着可能としてなることを特徴とする屋根積雪融雪具。
【請求項５】
屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面の棟から軒に向かう方向（縦方向）に沿って上向き突条となっている葺き板の折曲げ耳部に左右方向から挾着状となって固定可能とする取着金具部を形成したことにより、金属板による縦葺き屋根面の適宜選択した適所に自在に装着可能としてなることを特徴とする屋根積雪融雪具。
【請求項６】
取着金具部が、一対の挾着爪と、これら挾着爪および据付け板の端部を厚み方向に貫通したボルトと、同ボルトに螺合されたナットとを有してなり、一対の挾着爪同士の締付け、ならびに一対の挾着爪と据付け板の端部との連結とを共締め可能としてなる、請求項１ないし５何れか一項記載の屋根積雪融雪具。
【請求項７】
取着金具部が、葺き板の折曲げ耳部に所定幅寸法に渡って挟み付け可能とする一対の挾着爪と、これら挾着爪および据付け板の端部を厚み方向に貫通したボルト、ならびに一対の挾着爪のみを、据付け板の端部から外れた両側位置で厚み方向に貫通したボルトと、これらの各ボルトに夫々螺合されたナットとからなり、一対の挾着爪同士の締付け、ならびに一対の挾着爪と据付け板の端部との連結とを可能としてなる、請求項１ないし５何れか一項記載の屋根積雪融雪具。
【請求項８】
取着金具部が、葺き板の折曲げ耳部に所定幅寸法に渡って挟み付け可能とする一対の挾着爪と、これら挾着爪および据付け板の端部を厚み方向に貫通したボルトと、同ボルトに螺合されたナットとを有してなり、一方の挾着爪は、葺き板の折曲げ耳部に挾着する爪先縁部と、ボルト貫通部分を挟んだ反対側の爪先縁部とが共に他方の挾着爪側に向けて所定角度に傾斜するよう折曲したものとし、また他方の挾着爪は、葺き板の折曲げ耳部に挾着する爪先縁付近の中途部分を、ボルト頭部高さと略同じかそれ以上の高さとなり、しかも取り付けに支障のない高さ寸法に設定した谷折り状の接地部を形成した上で、対峙する一方の挾着爪の爪先縁部に向けて傾斜状に折曲した爪先縁部を形成し、ボルト貫通部分を挟んで反対側となる爪先縁部を、対峙する一方の挾着爪の爪先縁部に向けて傾斜状に折曲して互いに対峙する爪先縁部同士が接合状になり得るよう配置形成してなる、請求項１ないし４何れか一項記載の屋根積雪融雪具。
【請求項９】
取着金具部が、葺き板の折曲げ耳部に所定幅寸法に渡って挟み付け可能とする一対の挾着爪と、これら挾着爪および据付け板の端部を厚み方向に貫通した１本または複数本のボルトと、同ボルトに螺合されたナットとを有してなり、一方の挾着爪は、葺き板の折曲げ耳部に挾着する爪先縁部と、ボルト貫通部分を挟んだ反対側の爪先縁部とが共に他方の挾着爪側に向けて所定角度に傾斜するよう折曲し、また、他方の挾着爪も同様に各爪先縁部を一方の挾着爪側に折曲して互いに対峙する爪先縁部同士が接合状になり得るよう配置形成してなる、請求項１ないし３または５何れか一項記載の屋根積雪融雪具。
【請求項１０】
融雪本体が、その取付けの際に棟方向となる長さ方向寸法を六尺に設定すると共に、同方向の両端部分を同一構造の融雪本体の端部と接合配置可能とした上、発熱体を電流の供給によって発熱する発熱帯から形成し、その電源コードを一方端から導出し、接続コードを他方端から導出可能に収容したものとすることにより、複数の融雪具を棟方向に連ねて設置して隣接する融雪具同士の互いに対応する電源コードと接続コードとを接続し、棟方向一方端に配置された融雪具の電源コードを電力原に接続して連続する全ての融雪具を一体的に制御可能としてなる、請求項１ないし９何れか一項記載の屋根積雪融雪具。
【請求項１１】
融雪本体が、少なくとも雪止め面の棟方向の略全長に渡る底面寄りの所定幅範囲か、あるいは略全面を銅板製のものとし、底面、雪止め面および支え面からなる三角筒体の内部に保温材を充填して左右端を閉鎖状とするか、あるいは保温材を充填せずに左右端を閉鎖状としたことにより、発熱体によって発生した熱を内部に留めて高い保温性を確保可能とすると共に、雪止め面の底面寄り付近か、略全面に接する積雪に向けて、より集中的に放熱可能なものとしてなる、請求項１ないし１０何れか一項記載の屋根積雪融雪具。
【発明の詳細な説明】
【技術分野】
【０００１】
この発明は、建築物の屋根上に設置可能な融雪具に関連するあらゆる分野をその技術分野とするものであって、融雪具を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                        
【背景技術】
【０００２】
（視  点）
屋根上の積雪を消雪する技術は、室内暖房によって加熱された空気を屋根裏に導き、その放熱で融雪する屋根裏暖房や、屋根を二重構造にして室内暖房の空気を導く二重構造屋根、あるいは太陽熱集熱板を作り、屋根裏に取り付けられた循環パイプに微温水を通して融雪する太陽熱利用の融雪システム等、様々なものが実用化されているが、これらは何れも設置する屋根の構造自体を大幅に変更せざるを得ず、かなり大掛かりな施工工事を必要とし、また設置した放熱設備に結露が発生し易く、その結露によって屋根材を腐触させてしまう虞れがあるため、結露防止用として換気装置等の取り付けが必要になる等、設置や維持にも多額の経費を要するという欠点を有しており、こうした結露の問題を解決するものとして薄い面ヒーターを屋根葺き材の下層に敷設したり、瓦自体に伝熱線を内蔵させた電気ヒーター型の融雪が行われるようになってきてはいるものの、これらについても既存の屋根に設置するときには屋根葺き材を剥がしたり、葺き直しの作業が必要となり、やはりかなりの経費負担を覚悟しなければならないのが現状であった。
【０００３】
（従来の技術）
こうした弊害を解消しようとして、従来からも金属屋根葺きの屋根面上に設置可能とする各種の融雪具が開発されており、例えば特開２０００−１７０３３３号公報に開示されたもののように、設置部の中央部を突出させた突出部と、突出部の一方の側片にはヒーターを設置し、他方の側片には太陽電池を設置し、太陽電池によって発電した電力によって発熱して融雪可能とするようにした「融雪・雪止装置」国分発明もあるが、これには屋根面への具体的な取り付け構造が開示されていない。
【０００４】
また、特開平１１−２４１４６５号公報に記載のあるもののように、屋根表面材の裏面にヒータユニットを具備してなる複数枚の屋根材夫々を、屋根面に垂直に打ち込まれるビスおよび鋼板のスプリングバックを利用したハゼ構造部により、相互にジョイント配列するようにした「屋根材および融雪屋根」荒木・松田発明が示されており、この技術であれば、野地板のルーフィング張りの上に一般の屋根葺き材と同様に設置することができる外、既存の金属板葺き屋根の上にも重ねて取り付けることを可能にするものの、屋根葺き材あるいは野地板まで貫通するようなビス止めを要するため、老朽後の撤去や交換の際には、屋根の葺替えや補修等が不可欠となってしまうという欠点があった。
【０００５】
このような屋根への損傷を防止する取着構造を採用したものとして、特開２００１−２２７１２０号公報の、山型融雪面部裏側に発熱体を組み込んでなる融雪面本体と、全体形状略コの字断面またはエの字断面とし、接着剤または接着兼用シール剤を用いて屋根面に固着される前後各取着金具と、前記融雪面本体の長さ方向両端山型開口部分に夫々嵌合、閉鎖する形状の左右両側面板とからなる「金属板葺き屋根用融雪装置、およびその取付施工方法」のような佐藤発明も知られるところではあるが、複数の前後取着金具を屋根面に接着する作業は、接着剤の接着性能を十分に引き出せるよう屋根面を入念に洗浄、乾燥させた後に施工しなければならず、既存の屋根葺き材が塗装品である場合には、接着部分の塗装を剥がして地肌を露出させてから装着しなければ雪止めによる過重を受けたときに、塗装膜諸共脱落してしまうことが懸念されるばかりか、施工完了後に硬化して十分な接着力が得られるまでに多少の時間が掛かってしまう上、取着時の天候や気温によって取着強度に多大な影響を受けてしまうことから、施工に当って様々な状況を考慮に入れなければならないという課題を残すものであった。                                                                        
【特許文献１】（１）特開２０００−１７０３３３号公報    （２）特開平１１−２４１４６５号公報    （３）特開２００１−２２７１２０号公報
【発明の開示】
【発明が解決しようとする課題】
【０００６】
（問題意識）
この発明は、以上のように、既存の金属板葺き屋根に対して装着可能とした従前までの融雪具には、既存の屋根にビスを打ち込んで取り付けたり、あるいは接着剤を利用して接着するものが多く、設置後に思うような融雪効果が得られないことが判明して、より良い位置へ移動させたい場合にも簡単には移動することができないものであり、加えて長年の使用の後に融雪具の故障や老朽等によって撤去の必要を生じたときにも、撤去作業が困難であり、露出状となった屋根面にビス孔が残ったり、接着剤跡が残ってしまう等といった弊害を伴うものであって、その後の屋根の補修や清掃に余分な労力を要するものになる上、新しい融雪具に交換、設置しようとする場合にも、略同様の経費負担を覚悟しなければならないものとなっていた。
【０００７】
（発明の目的）
そこで、この発明は、既存の金属板葺きの屋根に簡便且つ迅速に装着することができると共に、取り付けた後であっても葺き板や屋根面に殆ど損傷を与えることないようにして、自由に設置位置を移動させたり、撤去可能とするような融雪具を提供することはできないものかとの判断から、逸速くその開発、研究に着手し、長期に渡る試行錯誤と幾多の試作、実験とを繰り返してきた結果、今回、遂に新規な構造の屋根積雪融雪具を実現化することに成功したものであり、以下では、図面に示すこの発明を代表する実施例と共に、その構成を詳述することとする。                                                                    
【課題を解決するための手段】
【０００８】
（発明の構成）
図面に示すこの発明を代表する実施例からも明確に理解されるように、この発明に包含される屋根積雪融雪具は、基本的に次のような構成から成り立っている。
即ち、屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面への取着金具部を形成してなるものとした構成を要旨とする屋根積雪融雪具である。
【０００９】
この基本的な構成による屋根積雪融雪具を、換言するならば、屋根対向面を底面とし、その上端縁に一体化され、屋根面に設置されたときに水平状または屋根面からやや離れる方向に傾斜加減の略水平状となる所定角度に形成された雪止め面、および同下端縁に一体化され、前記雪止め面を所定角度に支持する支え面からなる所定長さの三角筒体であって、それら二本を適宜間隔を置いて平行配置した上、夫々の長さ方向で少なくとも両端近傍の屋根対向面同一箇所二箇所間に添わせて据付け板を一体化して二連の三角筒体からなる融雪本体を形成する一方、各三角筒体の雪止め面の内面には、該雪止め面外面に伝熱可能とするよう発熱体が添設、一体化されると共に、各据付け板の上下各端部に、設置対象金属板葺き屋根面の構造に応じて後付け可能となるようにした取着金具部を形成してなるものとした屋根積雪融雪具であるということができる。
【００１０】
更に具体的に示すと、屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面の棟方向（横方向）、もしくは棟方向に略直交する方向（縦方向）に沿う突条に形成された葺き板の折曲げ耳部に挾着状に固定可能とする取着金具部を形成してなるものとした屋根積雪融雪具ということができる。
【００１１】
より具体的な構成で示すと、屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面の棟方向（横方向）に沿って軒方向に突条となる葺き板の折曲げ耳部に上下方向から挾着状となって固定可能とする取着金具部を形成したことにより、金属板による一文字葺き屋根面の適宜選択した適所に自在に装着可能としてなる屋根積雪融雪具ということが可能である。
【００１２】
同様に、屋根対向面を底面とし、その上端縁に一体化される雪止め面、および同下端縁に一体化される支え面からなる所定長さの三角筒体であって、それら二本を適宜間隔を置いて平行配置した上、夫々の同一箇所二箇所間に添わせて据付け板を一体化して二連の三角筒体からなる融雪本体を形成する一方、各三角筒体の雪止め面の内面には発熱体が添設、一体化されると共に、各据付け板の上下各端部に、設置対象金属板葺き屋根面の棟から軒に向かう方向（縦方向）に沿って上向き突条となっている葺き板の折曲げ耳部に左右方向から挾着状となって固定可能とする取着金具部を形成したことにより、金属板による縦葺き屋根面の適宜選択した適所に自在に装着可能としてなる屋根積雪融雪具ということも可能である。                                                                                              
【発明の効果】
【００１３】
以上のとおり、この発明の屋根積雪融雪具によれば、何よりも先ず、既存の金属板葺き屋根面に、設置用金具類の取り付けや、固定用のワイヤーロープの張設等といった屋根面を傷付けるような工事を一切必要とせず、本来金属板葺きの屋根に形成されている葺き板の折曲げ耳部を利用して装着、固定してしまう構造としたことにより、十分な取り付け強度を確保することができると共に、取り付け位置決めの自由度を向上することができ、しかも取付け工事も容易な上、融雪効果を高めるための配置替えや、屋根の塗装または葺替え工事あるいは老朽後の交換工事の際等にも迅速且つ簡便に脱着することができるものとなり、更に、三角筒体を水平二連に配置したことによって雪止め性能と融雪効率とを格段に高めることができるという秀れた特徴が得られるものである。                                                    
【発明を実施するための最良の形態】
【００１４】
上記したとおりの構成からなるこの発明の実施に際し、その最良もしくは望ましい形態について説明を加えることにする。
融雪本体は、当該屋根積雪融雪具の略全体を形成するものであって二本の三角筒体を適宜間隔を隔てて平行配置し、三角筒体同士の上下間隔を固定状に維持して上下二連型の融雪具を形成する機能を果たし、三角筒体同士の二箇所間に添わせた据付け板によって一体化したものとしなければならず、その取付けの際に棟方向となる長さ方向寸法を六尺に設定すると共に、同方向の両端部分を同一構造の融雪本体の端部と接合配置可能とした上、発熱体を電流の供給によって発熱する発熱帯から形成し、その電源コードを一方端から導出し、接続コードを他方端から導出可能に収容したものとすることにより、複数の融雪具を棟方向に連ねて設置して隣接する融雪具同士の互いに対応する電源コードと接続コードとを接続し、棟方向一方端に配置された融雪具の電源コードを電力原に接続して連続する全ての融雪具を一体的に制御可能としてなるものとすることができる外、少なくとも雪止め面の棟方向の略全長に渡る底面寄りの所定幅範囲か、あるいは略全面を銅板製のものとし、底面、雪止め面および支え面からなる三角筒体の内部に保温材を充填して左右端を閉鎖状とするか、あるいは保温材を充填せずに左右端を閉鎖状としたことにより、発熱体によって発生した熱を内部に留めて高い保温性を確保可能とすると共に、雪止め面の底面寄り付近か、略全面に接する積雪に向けて、より集中的に放熱可能なものとしてなるものとすることが可能である。
【００１５】
三角筒体は、屋根上の積雪の滑落を止める雪止めとしての機能と、積雪との接触部分に熱を加えて融雪する機能とを兼ね備えたものであり、屋根対向面を底面とし、その上端縁に一体化された雪止め面と、同底面の下端縁に一体化され雪止め面を支持する支え面とから形成されたものとし、屋根上の積雪による荷重に十分に耐える強度を有するものとしなければならず、取付け作業中や屋根上での各種メンテナンス作業の際等に、作業者が誤って踏み付けてしまったような場合であっても不用意に変形することがない程度の強度に形成したものとするのが望ましい。
【００１６】
底面は、雪止め面の下端と、該雪止め面を支える支え面の下端とを夫々固定状に支持可能とするものであり、雪止め面と支え面とを強固に一体化する構造を確保すれば足りるものであって例えば、複数枚の帯板を組合せて形成されたものや多数のパンチング孔を有する金属板、あるいは金属製網等から形成することが可能であるが、強度の確保や雪止め面の熱を屋根面側に逃がさないことを考慮すると、通気性をもたない平板面状に形成したものとすることが望ましく、更に結露や雪解け水や雨水等の浸入水を排出可能とする排出孔を屋根下側となる適所に開口したものとすることができる。
【００１７】
雪止め面は、屋根上の積雪が滑落しないよう規制すると共に、裏面に添設された発熱体からの熱を、表面に接合状となっている雪に効率的に伝達して速やかに融雪可能とする機能を果たすものであり、屋根面に対して略水平状に配置されたものとすべきであり、略全長に渡る屋根面寄りとなる所定幅範囲か、あるいは略全面を、銅合金、アルミニウム合金、ステンレス合金、鋼、チタン合金、その他の合金もしくはそれらの純金属等、比較的加工し易く、熱伝導に秀れた金属素材から形成したものとするのが望ましい。
【００１８】
発熱体は、外部からのエネルギーの供給を受けて発熱し、雪止め面の裏面から熱を伝えるものであり、より具体的には雪止め面の裏面側に、内部に導線を有した柔軟性を有する発熱帯を、略均等配置とするよう蛇行状に貼着し、該導線に電流を供給して発熱するものとするのが望ましいが、雪止め面の裏面側に可撓性の細管を貼着し、同細管中に給湯設備からの湯か、あるいは暖房設備からの熱風等の流体を供給、循環させて放熱する構造とすることが可能であり、更にまた、雪止め面の裏面の略全面に電流の供給によって発熱可能な金属箔を貼着したものとすることができる。
【００１９】
支え面は、三角筒体の雪止め面を屋根軒側となる下側から、屋根上の積雪による荷重に抗するよう支持する機能を果たし、雪止め面の底面とは反対側となる縁付近を十分な強度で支持可能なものとしなければならず、雪止め面の同縁付近に補強枠を装着し、その補強枠を複数本の支柱によって支持するものとすることが可能であるが、雪止め面裏面の発熱体を隠蔽して外観を向上し、高い保温性を確保するには三角筒体を閉断面形とするよう平板面形状のものとするのが望ましく、補強用の凹凸形状を有するものとすることが可能である。
【００２０】
据付け板は、棟方向に向けた二つの三角筒体を、適宜間隔を置いた平行二連状の配置とするよう連結すると共に、二つの三角筒体底面の各外側となる位置に、金属板葺き屋根面への取り付けを可能とする取着金具部を、十分な強度をもって設けられたものとする機能を果たし、短冊状の金属平板製から形成することや、金属平板の必要箇所に三角筒体を係止可能とする突形状、あるいは補強用の山折り部分や谷折り部分をプレス成型したものとすること等が可能である外、金属棒製のものとすることも可能である。
【００２１】
取着金具部は、二つの三角筒体を二連に連結する据付け板の各端部を、既存の金属板葺き屋根面への取り付け固定を可能とするものであり、より具体的には、一対の挾着爪と、これら挾着爪および据付け板の端部を厚み方向に貫通したボルトと、同ボルトに螺合されたナットとを有してなり、一対の挾着爪同士の締付け、ならびに一対の挾着爪と据付け板の端部との連結とを共締め可能としてなるものであるということができ、表現を変えると、葺き板の折曲げ耳部に所定幅寸法に渡って挟み付け可能とする一対の挾着爪と、これら挾着爪および据付け板の端部を厚み方向に貫通したボルト、ならびに一対の挾着爪のみを、据付け板の端部から外れた両側位置で厚み方向に貫通したボルトと、これらの各ボルトに夫々螺合されたナットとからなり、一対の挾着爪同士の締付け、ならびに一対の挾着爪と据付け板の端部との連結とを可能としてなるものということができる。
【００２２】
そして、この取着金具部を、更に具体的に示すと、葺き板の折曲げ耳部に所定幅寸法に渡って挟み付け可能とする一対の挾着爪と、これら挾着爪および据付け板の端部を厚み方向に貫通したボルトと、同ボルトに螺合されたナットとを有してなり、一方の挾着爪は、葺き板の折曲げ耳部に挾着する爪先縁部と、ボルト貫通部分を挟んだ反対側の爪先縁部とが共に他方の挾着爪側に向けて所定角度に傾斜するよう折曲したものとし、また他方の挾着爪は、葺き板の折曲げ耳部に挾着する爪先縁付近の中途部分を、ボルト頭部高さと略同じかそれ以上の高さとなり、しかも取り付けに支障のない高さ寸法に設定した谷折り状の接地部を形成した上で、対峙する一方の挾着爪の爪先縁部に向けて傾斜状に折曲した爪先縁部を形成し、ボルト貫通部分を挟んで反対側となる爪先縁部を、対峙する一方の挾着爪の爪先縁部に向けて傾斜状に折曲して互いに対峙する爪先縁部同士が接合状になり得るよう配置形成してなるものということが可能である。
【００２３】
また同様に、取着金具部は、葺き板の折曲げ耳部に所定幅寸法に渡って挟み付け可能とする一対の挾着爪と、これら挾着爪および据付け板の端部を厚み方向に貫通した１本または複数本のボルトと、同ボルトに螺合されたナットとを有してなり、一方の挾着爪が、葺き板の折曲げ耳部に挾着する爪先縁部と、ボルト貫通部分を挟んだ反対側の爪先縁部とが共に他方の挾着爪側に向けて所定角度に傾斜するよう折曲され、また、他方の挾着爪も同様に各爪先縁部を一方の挾着爪側に折曲して互いに対峙する爪先縁部同士が接合状になり得るよう配置形成してなるものであるとすることが可能である。
以下では、図面に示すこの発明を代表する実施例と共に、その構造について詳述することとする。                                                                                                  
【実施例】
【００２４】
図１の屋根積雪融雪具の棟方向の断面図、図２の屋根積雪融雪具を棟側から見た斜視図、図３の取着金具部の側面図、図４の取着金具部の平面図に示される事例は、屋根７に対向する底面２１の棟側となる上端縁には雪止め面２３を、また、これとは反対側の同底面２１軒側となる下端縁には支え面２２を、夫々一体化して所定長さの三角筒体２を形成し、同一構造とした三角筒体２，２の二本を、棟から軒に向かう方向に適宜間隔を置いて平行配置した上、夫々の互いに同一となる二箇所間に添わせて据付け板４，４を一体化して二連の三角筒体２，２からなる融雪本体１１を形成する一方、各三角筒体２，２の雪止め面２３，２３の内面には発熱体３が添設されると共に、双方の据付け板４，４の上下各端部に、設置対象金属板葺き屋根面７への取着金具部５，５，……を形成してなるものとしたこの発明に包含される屋根積雪融雪具１における代表的な一実施例を示すものである。
【００２５】
当該屋根積雪融雪具１は、縦４００ｍｍ前後、横１８２０ｍｍ前後、厚さ１．２ｍｍ前後の長方形状亜鉛めっき鋼板を、縦２２０ｍｍ前後の箇所から断面略Ｌ型状に折曲して底面２１と、縦１８０ｍｍ前後の支え面２２とを一体形成し、底面２１の棟側となる上端縁と、支え面２２の上端縁との間に、縦２２０ｍｍ前後、横１８２０ｍｍ前後、厚さ１ｍｍ前後の銅板製であって、裏面の略全面に渡り、発熱体である導線を内蔵した比較的軟質な発熱帯３を、略均等に蛇行状配置とするよう貼着してなる雪止め面２３を、屋根面７から離れるに従い僅かに上昇する略水平状の姿勢に配置させ、その接合縁同士をリベット止めにより一体化することによって三角筒体２を形成したものとなっており、図示していないが、その三角状に開口した何れか一方端または双方端には必要に応じて、開口内に嵌合可能な三角断面型の厚さ１．２ｍｍ前後の亜鉛めっき鋼板製短尺スリーブ部分を形成し、そのスリーブ幅中央付近内側に、厚さ１．２ｍｍ前後の三角形状の隔壁を一体形成した接続体を装着しリベット止めにより、一体に結合したものとするか、あるいは、開口内に嵌合可能な三角断面型の厚さ１．２ｍｍ前後の亜鉛めっき鋼板製短尺スリーブ部分を形成し、そのスリーブの端部に三角形状の隔壁を一体形成した閉塞体２４を装着しリベット止めして一体に結合したものとし、接続端や閉塞体２４の底面２１付近となる箇所からは、必要に応じて電源コード３１や接続コード３２を導出したものとしている。
【００２６】
このように形成された三角筒体２，２の２本を、取着の際の棟方向に略直交状となる上下方向に１００ｍｍ程度の間隔を置いて棟方向に平行する二連状に配置され、各底面２１，２１の左右端から夫々４５０ｍｍ前後となる位置の夫々に、長さ７００ｍｍ前後、幅２５ｍｍ前後、厚さ約４．５ｍｍの亜鉛めっき鋼棒製で長尺辺の中途部分を二連の三角筒体２，２間に掛け渡し、互いに縦方向平行状に配置された一対の据付け板４，４を、複数本のボルト６，６，……とこれらに螺合するナット６１，６１，……とによって強固に結合したものとなっている、
【００２７】
更に、各据付け板４，４の上下方向に約６９７ｍｍを隔てた各端部には夫々、屋根面７に一文字葺き（横葺き）された葺き板７１の折曲げ耳部に約９０ｍｍに渡って挟み付け可能とする横幅９０ｍｍ前後、縦５０ｍｍ前後、厚さ３ｍｍ前後の亜鉛めっき鋼板製の一対の挾着爪５１，５１と、これら挾着爪５１，５１の各中央付近および据付け板４の端部を厚み方向に貫通したボルト６ならびに該ボルト６に螺合されたナット６１とを有してなる取着金具部５，５，……が設けられており、各取着金具部５は、上側の挾着爪５１が、葺き板７１の折曲げ耳部に上方から挾着する爪先縁部５２と、ボルト６の貫通部分を挟んだ反対側の爪先縁部５２とが共に下側の挾着爪５１側に向けて所定角度に傾斜するよう折曲したものとすると共に、下側の挾着爪５１は、葺き板７１の折曲げ耳部に挾着する爪先縁付近の中途部分を、ボルト６の頭部高さと略同じ高さとした谷折り状の接地部５３を形成した上で、対峙する上側の挾着爪５１の爪先縁部５２に向けて傾斜状に折曲した爪先縁部５２を形成し、ボルト貫通部分を挟んで反対側となる爪先縁部を、対峙する上側の挾着爪５１の爪先縁部５２に向けて傾斜状に折曲し、互いに対峙する爪先縁部５２，５２，……同士が接合状になり得るよう配置形成した上、据付け板４端部の左右側となる取着金具部５には、据付け板４と結合するのとは別に、挾着爪５１，５１同士のみを締付け可能とするボルト６，６およびナット６１，６１が貫通されたものとなっている。
【００２８】
更に、当該屋根積雪融雪具１は、据付け板４，４と取着金具部５，５とを変更することにより、図５の屋根積雪融雪具の棟方向の断面図、図６の取着金具部の正面図に示すように、縦葺きされた金属板葺き屋根面７に対しても簡便に取り付けることが可能となるので、その取り付け要部の構造について示すと、据付け板４，４は、両端の約１００ｍｍ前後の範囲を、設置の際に屋根面７に対して略垂直状となるよう捩り曲げ加工を施したものとされ、その垂直面とした端部の夫々に、取着金具部５，５，……が装着されている。
【００２９】
取着金具部５は、葺き板７１の折曲げ耳部に約９０ｍｍの所定幅寸法に渡って挟み付け可能とする長さ９０ｍｍ前後、高さ５０ｍｍ前後、厚み３ｍｍ前後の亜鉛めっき鋼板製であって一対の挾着爪５１，５１を有し、これら挾着爪５１，５１および据付け板４の端部を厚み方向に貫通した２本のボルト６，６と、これらに螺合されたナット６１，６１とを有してなり、図６中における左側の挾着爪５１は、葺き板７１の折曲げ耳部に挾着する爪先縁部５２、およびボルト６，６の貫通部分を挟んだ反対側の爪先縁部５２との夫々を、右側の挾着爪５１側に向けて所定角度に折曲されあものとし、同様に右側の挾着爪５１も各爪先縁部５２，５２の夫々を左側の挾着爪５１側に向けて折曲し、互いに対峙する爪先縁部５２，５２，……同士が接合状になり得るように配置、形成されたものとしている。
【００３０】
（実施例の作用）
以上のとおりの構成からなるこの発明の屋根積雪融雪具１は、金属板によって一文字葺きされた屋根面７の適所に、図２中に示すように、屋根面７の幅に合わせて屋根の棟方向に連続するよう複数接続して設置することが可能であり、図１のように、個々の屋根積雪融雪具１は、夫々の据付け板４，４の各先端に設けられた取着金具部５，５，……を、設置箇所の適宜対応する葺き板７１，７１，……の軒側に向けて突出状となっている折曲げ耳部に、図３および図４中に示すよう、上下方向から挟み付け可能に配置させ、各ボルト６，６，……とナット６１，６１，……とを締め付けて、各一対の挾着爪５１，５１，……を折曲げ耳部に取着結合させると共に、それら一対の挾着爪５１，５１，……を据付け板４，４の各端部に結合させることにより、屋根面７に対して確りと固定状に設置されることとなる。
【００３１】
更に、複数の屋根積雪融雪具１，１，……を棟方向に連続した状態に設置する場合には、一方の屋根積雪融雪具１における上下各三角筒体２，２の接続側の開口部分夫々に図示しない接続体の一方のスリーブ部分を装着してリベット結合すると共に、それら接続体の他方スリーブ部分を、隣接する屋根積雪融雪具１における上下各三角筒体２，２の対応する開口部分に夫々装着し、リベット結合することによって一体化することが可能であり、屋根面７の棟方向端に位置された上下各三角筒体２，２には、閉塞体２４を装着し、同様にリベット止めすることによって内部閉塞型に形成することが可能である。また、複数の屋根積雪融雪具１，１，……を接続する際には、隣接する一方から導出された接続コード３２に、隣接する他方から導出された電源コード３１を接続し、夫々のコード３１，３２を何れか一方の三角筒体２内に収納したものとする。
【００３２】
以上のように屋根面７上に固定された屋根積雪融雪具１は、図３および図４中に示すように、各取着金具部５，５，……の下側に配置される挾着爪５１に、屋根面７に接地する谷折り状の設置部５３を形成したことにより、ボルト６，６，６の頭部が屋根面７に接合状となるのを阻止するものとなり、ボルト６，６，６の接触によって葺き板７１が傷むのを防止可能とするものとなる。
【００３３】
また、据付け板４および取着金具部５を、図５および図６中に示されるように形成することにより、金属板による縦葺き屋根面７に対しても鉛直上方に突出する葺き板７１の折曲げ耳部に対して、各取着金具部５，５，……の挾着爪５１，５１の夫々を左右方向から挟み付け状とし、ボルト６，６およびナット６１，６１による締め付けにより、十分な強度に仮固定することが可能となる。
【００３４】
（実施例の効果）
以上のような構成からなる実施例の屋根積雪融雪具１は、前記この発明の効果の項で記載の特徴に加え、複数を棟方向に沿って連結した場合であっても、隣接する双方の電源コード３１と接続コード３２とを接続することにより、棟方向の端部に配された三角筒体２，２から導出された電源コート３１を電力供給原に接続するだけで、連続された全ての屋根積雪融雪具１，１，……の発熱体３に電流を供給することが可能となるので配線工事が容易であり、しかも各三角筒体２，２，……間に接続体か閉塞体２４かの何れかを装着しているので、内部を密閉状として発熱体３，３，……によって加熱された空気が、封入状となって高い保温性を確保するものとすることができる上、雪止め面２３，２３，……を、熱伝導率に秀れた銅板製としたことにより、屋根面７上に堆積して雪止め面２３，２３，……に堰止め状となって接する積雪に効率的に伝熱し、速やかに融雪してしまうことができるという利点を得られることになる。
【００３５】
（結  び）
叙述の如く、この発明の屋根積雪融雪具は、その新規な構成によって所期の目的を遍く達成可能とするものであり、しかも、製造も容易であって従前からの融雪具に比較して低廉に提供することが可能となり、設置作業も天候に左右されることなく迅速且つ確実に行うことができる上、一旦設置後の場所の移動や撤去作業も簡便であり、屋根の葺き板に損傷を与えない取付け構造によって脱着に伴う屋根の補修や葺替え工事を一切不要となることから、遥かに経済的なものとすることができるために、屋根融雪をできるだけ低価格で実現することを希望する降雪地帯の多くの人々からは勿論のこと、その地域の要望に応えようとする関連施工業者等からも高い評価が得られるものとなって、広範に渡って利用、普及していくものになると予想される。                                                                                  
【図面の簡単な説明】
【００３６】
図面は、この発明の屋根積雪融雪具の技術的思想を具現化した代表的な一実施例を示すものである。
【図１】屋根積雪融雪具を断面化して示す斜視図である。
【図２】屋根積雪融雪具の外観を示す斜視図である。
【図３】取着金具部を示す側面図である。
【図４】取着金具部を示す平面図である。
【図５】一部に変更を加えた屋根積雪融雪具を断面化して示す斜視図である。
【図６】変更を受けた取着金具部を示す正面図である。
【符号の説明】
【００３７】
１      屋根積雪融雪具
１１    同  融雪本体
２      三角筒体
２１    同  底面
２２    同  支え面
２３    同  雪止め面
２４    同  閉塞体
３      発熱帯
３１    同  電源コード
３２    同  接続コード
４      据付け板
５      取着金具部
５１    同  挾着爪
５２    同  爪先縁部
５３    同  接地部
６      ボルト
６１    同  ナット
７      屋根面
７１    同  葺き板
【図１】
2005179926.tif 000003
【図２】
2005179926.tif 000004
【図３】
2005179926.tif 000005
【図４】
2005179926.tif 000006
【図５】
2005179926.tif 000007
【図６】
2005179926.tif 000008